(57)【要約】【課題】  ホストコンピュータ等の外部装置を用いずに、装置単体の操作により、複数の画像が記録された透過原稿から所望の画像を所望の条件で記録出力させることが可能な画像読み取り記録装置を提供すること。【解決手段】  透過原稿をプリスキャンして得た画像を、付加情報記入欄と共にレイアウトしたナビシートとして出力する（Ｓ１０５）。そして、付加情報が記入されたナビシートを読み込み、記入された付加情報を認識する（Ｓ１１５）。そして、プリスキャンの状態のまま残っている透過原稿を本スキャンし（Ｓ１１９）、認識した付加情報に基づいて記録出力する（Ｓ１２１）。【選択図】  図１
2005204162.tif 000002
【特許請求の範囲】
【請求項１】
原稿搬送手段と、前記原稿搬送手段により搬送される原稿及び原稿台に載置された原稿を読み取り可能な画像読み取り手段とを有し、
前記原稿台に透過原稿を載置した状態で、記録出力条件を前記透過原稿に含まれる画像とともに記載したインデックスシートを前記原稿搬送手段により搬送しながら前記インデックスシートを前記画像読み取り手段により読み取り、その後、前記原稿台に載置された前記透過原稿を前記画像読み取り手段により読み取ることを特徴とする画像読み取り装置。
【請求項２】
さらに、前記画像読み取り手段を移動させる移動手段を有し、前記原稿台に載置された原稿を読み取る場合には、前記原稿台に載置された原稿に対して前記移動手段により前記画像読み取り手段を移動させながら前記原稿台に載置された原稿を読み取り、前記原稿搬送手段により搬送される原稿を読み取る場合には、前記画像読み取り手段を前記原稿台に載置された原稿を読み取る場合に移動させる範囲とは異なる所定位置で停止させた状態で前記原稿搬送手段により搬送される原稿を読み取ることを特徴とする請求項１記載の画像読み取り装置。
【請求項３】
前記原稿搬送手段により搬送しながら前記インデックスシートを前記画像読み取り手段により読み取ることで、前記インデックスシートに記載された前記記録出力条件を認識し、認識された前記記録出力条件に基づいて前記画像読み取り手段により前記透過原稿を読み取るとともに記録手段により読取画像を記録出力することを特徴とする請求項１に記載の画像読み取り装置。
【請求項４】
前記画像読み取り手段により前記透過原稿を読み取ることで得られる画像を記録手段により記録シートにレイアウトして記録出力することで前記インデックスシートを作成することを特徴とする請求項１に記載の画像読み取り装置。
【請求項５】
前記記録手段により前記インデックスシートを作成するために前記画像読み取り手段により前記透過原稿を読み取る際の読み取り解像度が、前記画像読み取り手段により前記インデックスシートを読み取った後で前記透過原稿を読み取る際の読み取り解像度よりも低いことを特徴とする請求項４記載の画像読み取り装置。
【請求項６】
前記原稿搬送手段により搬送される反射原稿及び前記原稿台に載置される反射原稿を照明するための反射原稿用光源と、前記原稿台に載置される透過原稿を照明するための透過原稿用光源とを有することを特徴とする請求項１乃至請求項５のいずれか１項に記載の画像読み取り装置。
【請求項７】
前記インデックスシートに記載される前記記録出力条件が、記録出力枚数、記録出力サイズ及び記録出力時に用いる記録紙の種別の少なくとも１つを含むことを特徴とする請求項１乃至請求項６のいずれか１項に記載の画像読み取り装置。
【発明の詳細な説明】
【技術分野】
【０００１】
本発明は、ファクシミリ、複写機、複合機などの画像読み取り装置に関するものであり、特に透過原稿読み取り機能を有する装置に関するものである。
【背景技術】
【０００２】
近年、スキャナ及びプリンタの価格性能比の大幅な向上を反映して、これらを統合し、ファクシミリ機能を付加した所謂複合機と呼ばれる画像読み取り記録装置が急速に普及しつつある。そして、このような画像読み取り記録装置には、透過原稿の読み取りが可能なものもあり、銀塩カメラで撮影したフィルムを読み取ってプリントすることも可能になっている。
【０００３】
従来、透過原稿読み取り可能な画像読み取り記録装置を用い、例えば写真フィルムに記録された複数のコマ画像を選択的に印刷出力する際には、画像読み取り記録装置に接続したホストコンピュータから指示して画像読み取り装置でフィルム画像を読み取り、接続されたコンピュータの表示装置に表示される画像から出力を所望する画像を選択し、出力紙サイズ、出力枚数等の付加情報とともに画像読み取り記録装置に指示し、出力させるという手順が一般的であった。
【０００４】
また、ホストコンピュータを使用せず、画像読み取り記録装置に設けられた操作部と表示画面を用いて同様の手順を実行可能な装置も知られている。（例えば、非特許文献１，２参照）。
【０００５】
【非特許文献１】”PM-８５０基本操作ガイド”、［online］、平成１５年１１月１１日、エプソン販売株式会社、［平成１５年１２月３日検索］、インターネット＜URL:http://www2.i-love-epson.co.jp/support/manual/data/ink/pma850/4046160_00.pdf＞
【非特許文献２】”PM-８５０スキャナ操作ガイド(Windows編)”、［online］、平成１５年１１月１１日、エプソン販売株式会社、［平成１５年１２月３日検索］、インターネット＜URL:http://www2.i-love-epson.co.jp/support/manual/data/ink/pma850/NPD0498_00W_Scanner.pdf＞
【発明の開示】
【発明が解決しようとする課題】
【０００６】
ホストコンピュータを使用する方法では、出力時にホストコンピュータの準備が必要であり、特に起動が必要な場合には待ち時間が必要となり煩わしい。また、ホストコンピュータがネットワークを介して画像読み取り記録装置と接続されている場合など、両者が離れている場合には、その間を行き来せねばならず面倒である。
【０００７】
このような問題は、ホストコンピュータを用いず、装置単体で処理を行う方法で解決されるが、一般に装置本体に設けられる表示装置は小さい上に解像度も高くなく、特に記念撮影のように似たショットが連続する場合には、表示された複数のコマ画像から所望の画像を選択することが難しい。１度に１つの画像を表示することによりこの問題は多少改善されるが、複数の画像を見比べて選択すること出来ないうえ、画像表示を切り替える操作が必要となり、やはり不便である。
【０００８】
また、操作部を用いて用紙サイズや出力枚数といった付加情報を指示するのもホストコンピュータを用いる場合に比べて容易ではない。画像読み取り記録装置に設ける表示装置の画面サイズや操作部のキーを大きくすれば問題は小さくなるが、それによる装置の大型化及びコスト上昇を考慮すると現実的な対策とはいえないのが現状である。
【０００９】
本発明はこのような従来の問題点に鑑みなされたものであり、その主な目的は、写真フィルムのような複数の画像が記録された透過原稿から、希望する画像を希望する条件で記録出力することが容易かつ確実に行える画像読み取り装置を提供することにある。
【課題を解決するための手段】
【００１０】
このような目的は、原稿搬送手段と、原稿搬送手段により搬送される原稿及び原稿台に載置された原稿を読み取り可能な画像読み取り手段とを有し、原稿台に透過原稿を載置した状態で、記録出力条件を透過原稿に含まれる画像とともに記載したインデックスシートを原稿搬送手段により搬送しながらインデックスシートを画像読み取り手段により読み取り、その後、原稿台に載置された透過原稿を画像読み取り手段により読み取ることを特徴とする画像読み取り装置によって達成される。
【発明の効果】
【００１１】
本発明によれば、透過原稿を読み取って読取画像を記録出力する場合に、記録出力条件を前記透過原稿に含まれる画像とともに記載したインデックスシートを用いて記録出力条件を簡単に設定することができる。さらに、原稿台から透過原稿を取り除くことなく、透過原稿を読み取る画像読み取り手段を用いて前記インデックスシートを読み取ることができる。
【発明を実施するための最良の形態】
【００１２】
以下、図面を参照して本発明をその好適な実施形態に基づき詳細に説明する。
図６は、本実施形態に係る画像読み取り記録装置の外観斜視図である。画像読み取り記録装置１００は、上部に設けられた画像読み取り部１と、下部に設けられた記録部５０とから構成される。記録部５０の手前上面には操作部３０が設けられている。操作部３０は画像読み取り記録装置１００をスキャナ、プリンタ、複写機、ファクシミリ装置等として利用する際に各種指示を与えるための各種キー及び、動作状態やメッセージ等を表示する表示部３１、ＬＥＤ等から構成されている。
【００１３】
本実施形態において、画像読み取り部１は原稿自動給紙部２を有しており、原稿と例に置かれた原稿を自動的に搬送、読み取り可能な構成を有する。
【００１４】
図９は、本実施形態に係る画像読み取り記録装置１００の主要機能構成例を示すブロック図である。画像読み取り記録装置１００は、例えばホストコンピュータといった、画像読取り装置を利用する外部装置５００とのやりとりや読取りデータの送信を行うための入出力部６１０と、画像読み取り記録装置全体の制御を行う制御部６２０と、ユーザが画像読み取り記録装置１００に指示を与えるための例えばキーやボタンや、表示部３１を有する操作部３０と、制御部６２０の指示に従って原稿自動給紙部２の動作を制御する原稿自動給紙部制御部６４０と、制御部６２０の指示に従って光学ユニット６を移動させる光学ユニット駆動部６５０と、原稿自動給紙部２の駆動源であるモータ６６０と、インクジェットプリンタ、レーザービームプリンタ、熱転写プリンタ等から構成される記録部５０を有する。制御部６２０は、例えば制御プログラムが記憶されたＲＯＭと、この制御プログラムを実行するＣＰＵと、作業用のＲＡＭを含み、制御プログラムに従って各部を制御することによって画像読み取り記録装置１００の動作を制御する。
【００１５】
制御部６２０は、図１０のフローチャートを用いて後述するように、画像読み取り部で読み取った透過原稿に含まれる複数の画像の各々を、記録出力時に使用する付加情報を指定するための記入欄とともにレイアウトしたナビシート（インデックスシート）を記録部を用いて出力する手段、原稿自動給紙部によって搬送されたナビシートを画像読み取り部で読み取った結果から、インデックスシートの記入欄に指定された内容を認識する認識手段及び、透過原稿を、再度画像読み取り部で読み取り、透過原稿中の複数の画像をインデックスシートの認識結果に基づいて記録部を用いて出力する画像出力手段として動作する。
【００１６】
図１〜図３は、画像読み取り部１の構成例を示す断面図である。図１および図２はどちらも反射原稿を読み取る状態を示し、さらに、図１は原稿自動給紙部２を用いて原稿を読み取る場合、図２は原稿自動給紙部２を用いずに原稿台に置かれた原稿を読み取る場合の断面図である。
【００１７】
一方、図３はフィルム等の透過原稿を読み取る場合の断面図であり、かつ後述するナビシート（インデックスシートともいう）を反射原稿として読み取った後、続けてフィルム等の透過原稿を読み取る場合の断面図でもある。
【００１８】
まず、図１および図２に基づいて、原稿自動給紙部２を用いて反射原稿を読み取る場合と、原稿自動給紙部２を用いずに反射原稿を読み取る場合の画像読み取り部１の動作を詳しく説明する。
【００１９】
図１で示すように、画像読み取り部１における原稿自動給紙部２は、原稿Ｓを載置する原稿載置トレイＴと、原稿排出トレイ３とを有する。原稿自動給紙部２では、原稿載置トレイＴから原稿Ｓを、給送圧板部４に設けられた略Ｕ字状の原稿搬送路（以下、Ｕターンパスという）５内を介して原稿排出トレイ３まで搬送する。この搬送過程において図１に示す搬送画像読み取り位置に固定した光学ユニット６によって原稿の画像の読み取りを行なうものである。
【００２０】
原稿自動給紙部２はさらに、Ｕターンパス５に沿って、原稿稿載置トレイＴ上の原稿Ｓの有無を検出する不図示の原稿有無センサと、原稿載置トレイＴに載置された原稿Ｓをピックアップするピックアップローラ７と、ピックアップされた原稿を１枚ずつ分離するための分離ローラ８及び分離パット９と、分離された原稿を搬送する第１搬送ローラ１０及び第２搬送ローラ１１と、原稿の先端部及び後端部を検出する不図示の原稿エッジセンサと、画像の読み取りを行なう際、原稿を押圧し白基準をなすための読取白地板１２と、画像の読み取りが済んだ原稿を原稿排出トレイ３に排出するための第３搬送ローラ１３とを有する。
【００２１】
原稿載置トレイＴはＵターンパス５の上流端側に接続するように設けられ、原稿排出トレイ３は給装圧板部４の上面を利用してＵターンパス５の下流端側に設けられている。また、原稿排出トレイ３の基端側には、排出される原稿の後端部を保持するための原稿保持面３ａが形成されている。
【００２２】
原稿読み取り部１のうち、原稿自動給紙部２を除く固定読取部１４には、原稿台としてのプラテンガラス１５と、ＣＣＤ等の光電変換素子を有する光学ユニット６と、原稿自動給紙部２の読取白地板１２に対向する位置に設けられた、搬送原稿をガイドする透明すくいシート１６とを有する。原稿自動給紙部２を用いずに反射原稿を読み取る場合や、フィルム等の透過原稿を読み取る場合には、光学ユニット６をプラテンガラス１５の下部に沿って（図２の矢印Ａ参照）走査し、プラテンガラス１５上に置かれた原稿を読み取る。
【００２３】
光学ユニット６は、反射原稿を読み取る際には、光源としてのＬＥＤアレイ１７からプラテンガラス１５を介して原稿表面に光を照射し、反射光をセルフォックレンズ１８（商標）でＣＣＤ等の光電変換素子に結像して画像情報を電気信号として出力する。また、透過原稿を読み取る際には、ＬＥＤアレイ１７は用いず、後述する透過原稿用光源から透過原稿を透過して到達した光をセルフォックレンズ１８（商標）でＣＣＤ等の光電変換素子に結像して画像情報を電気信号として出力する。
【００２４】
この光学ユニット６は図に垂直な方向に沿って細長い、ＬＥＤアレイ１７で照射される領域（ライン）を単位として画像を読み取ることが可能である。そして、図中左右方向（図２の矢印Ａ）に移動（走査）しながら読み取りを行うことで、プラテンガラス１５上のより広い領域を読み取ることが可能である。また、原稿自動給紙部２が搬送する原稿を読み取る場合は、原稿が移動するため、光学ユニット６は図１に示す搬送原稿読取位置で止まっていて、搬送される原稿を読み取る。
【００２５】
本実施形態において、原稿自動給紙部２を用いる場合には、読み取る面が見えるように原稿Ｓを原稿載置トレイＴにセットする。この原稿セットの際には、原稿Ｓの先端位置が不図示の原稿ストッパによって規制され、また、不図示の原稿有無センサにより原稿Ｓの有無が検知される。
【００２６】
そして、操作者が操作部３０（図６あるいは図７参照）から読取開始を指示すると、制御部６２０が原稿自動給紙部制御部６４０へ原稿搬送開始を指示する。原稿自動給紙部制御部６４０はこの指示に応答して、モータ６６０の回転を開始させる。これにより、不図示の原稿ストッパが押し下げられ、ピックアップローラ７によって原稿Ｓが不図示の原稿ストッパの傾斜面を通り、Ｕターンパス５の内部へと送り込まれる。このとき、分離ローラ８及び分離パット９によって原稿Ｓが１枚ずつに分離され、最上位の原稿Ｓが分離搬送される。また、分離された原稿Ｓが第１搬送ローラ１０によってＵターンパス５に沿って搬送され、さらに第２搬送ローラ１１によって当該原稿が光学ユニット６の読取位置に対向するプラテンガラス１５上の位置へ搬送される。
【００２７】
不図示の原稿エッジセンサにより原稿Ｓの先端部が検知されると、その位置から所定量搬送されたところで、光学ユニット６による画像情報の読み取りが開始される。その時原稿は、読取白地板１２に押圧されている。読取開始後、原稿は透明すくいシート１６によりすくい上げられ、第３搬送ローラ１３に向かう。そして、不図示の原稿エッジセンサにより原稿Ｓの後端部が検知されると、その位置から所定量搬送されたところで、光学ユニット６による画像情報の読み取りを終了する。
【００２８】
そして、原稿Ｓは、第３搬送ローラ１３によって圧板部４上面に形成された原稿排出トレイ３に向けて搬送され、原稿排出トレイ３上へ排出される。排出された原稿Ｓは、その後端部が第３搬送ローラ１３を通過すると自由落下し、傾斜している原稿排出トレイ３の主面を移動して、原稿保持面３ａに後端部が保持されて、原稿排出トレイ３に収容される。このようにして、前記搬送原稿読取位置では、不図示の原稿有無センサが原稿無しを検知するまで上述した読取動作を繰り返す。
【００２９】
次に、図２および図３に基づいて写真フィルム等の透過原稿を読み取るための構成及び読み取り時の動作を詳しく説明する。
なお、以下の説明では、便宜上原稿読み取り部１から原稿自動給紙部２の原稿搬送にのみ使用される部分を除いた残りを固定読み取りユニット１９と呼ぶことにする。
【００３０】
固定読み取りユニット１９は、前述したようにプラテンガラス１５を備えた所謂フラットベッド型である。
プラテンガラス１５は概ね矩形のガラス板等の透明板で形成され、前述したようにその盤面１５ａ上に印刷文書、写真、書籍等の被写体（原稿）Ｍが置かれる。プラテンガラス１５の周縁部には、概ね矩形枠状の原稿ガイド２０が設けられている。原稿ガイド２０は、プラテンガラス１５の盤面１５ａ上に被写体Ｍを位置決めするためのガイドであり、また読み取り範囲をも示している。原稿ガイド２０には、主走査方向（図中紙面に垂直な方向）に延びる白基準板２１が接合されている。白基準板２１は高反射率均一反射面を有する。
【００３１】
給送圧板部４はヒンジ３１（図７参照）で固定読み取りユニット１９に開閉自在に連結されている。給送圧板部４は前述したようにプラテンガラス１５に置かれる被写体Ｍをプラテンガラス１５へ押しつけるとともに、反射原稿読み取り用光源である光学ユニット６中のＬＥＤアレイ１７からの放射光以外の光が被写体Ｍを照らすことがないようにプラテンガラス１５を覆う機能を有する。ヒンジ３１はプラテンガラス１５の盤面１５ａに対して概ね７０°から９０°の全開姿勢で給送圧板部４を定位させる。
【００３２】
透過原稿用光源２２は給送圧板部４内に収容されている。透過原稿用光源２２は蛍光管ランプ等の線状光源と不図示の光拡散板と反射板とから構成される面光源装置である。不図示の線状光源はその長手方向軸が光学ユニット６の往復移動方向（副走査方向）と略平行になるように配置されている。不図示の光拡散板は概ね矩形の半透明の導光板から構成され、線状光源又は反射板から入射する光を拡散させて透過させる。不図示の反射板は樋状に湾曲した薄板状に形成され、その長手方向軸が管照明装置の長手方向軸に平行な姿勢で給送圧板部４に設けられている。反射板は管照明装置の放射光を不図示の光拡散板に向けて反射する。このような面光源装置は所謂サイドライト型の面光源装置として周知であるため詳細な説明は省略する。
【００３３】
原稿マット２３は給送圧板部４に脱着自在に係止されている。原稿マット２３は、通常表面が白色で、弾性を有しており、反射原稿の読み取り時に給送圧板部４に装着され（図２の状態）、透過原稿の読み取り時には透過原稿用光源２２が露出するように給送圧板部４から取り外される（図３の状態）。原稿マット２３は、給装圧板部４に装着されると不図示の光拡散板を被覆し、給送圧板部４から取り外されると不図示の光拡散板を露出させるように、その形状と取り付け位置とが設定されている。原稿マット２３が全閉姿勢の状態において、原稿マット２３はプラテンガラス１５に載置された被写体Ｍをプラテンガラス１５に密着させるように押さえる。
【００３４】
光学ユニット６は前述したようにプラテンガラス１５の盤面１５ａと平行に往復移動自在に固定読み取りユニット１９に収容されている。光学ユニット６は光学系２４と、ＣＣＤ等のイメージセンサ２５を搭載している。光学ユニット６はプラテンガラス１５の盤面１５ａに対し平行で、かつ光学ユニット６の副走査方向（矢印Ａ）方向に平行なガイドシャフト２６にスライド自在に係止されている。光学ユニット６は例えば不図示のベルトにより牽引されてガイドシャフト２６に沿って移動する。
【００３５】
光学系２４は、反射原稿用光源であるＬＥＤアレイ１７と、複数のミラー２７及び集光レンズ２８等で構成されている。反射原稿用光源であるＬＥＤアレイ１７は、その長手方向軸がイメージセンサ２５の長手方向軸と平行に延びる姿勢で光学ユニット６に搭載されている。図３に破線で示すように、反射原稿用光源であるＬＥＤアレイ１７により照射された被写体Ｍの主走査線上の反射光像又は透過原稿用光源２２により照射された被写体Ｍの主走査線上の透過光像はミラー２７及び集光レンズ２８によりイメージセンサ２５に結像される。
【００３６】
次に写真フィルム等の透過原稿を読み取る場合の構成および動作を詳しく説明する。
前述したように、透過原稿を読み取る場合に操作者は給送圧板部４をヒンジ３１を中心に回動させて全開状態させる（図７の状態）。給送圧板部４は自重で閉じることが無いようにヒンジ３１の弾性でプラテンガラス１５の盤面１５ａとほぼ７０°から９０°の角度の状態で保持される（図７参照）。そして給送圧板部４に脱着自在に係止されている原稿マット２３を取り外し、不図示の光拡散板を露出させる。一方で給送圧板部４と別体で脱着自在の専用フィルムホルダ２９内にフィルム等の透過原稿Ｆを所定の位置にセットする（図５の状態）。その状態でフィルムホルダ２９を露出された不図示の光拡散板を被覆するように給送圧板部４に装着させ給送圧板部４をヒンジ３１を中心に回動させ給送圧板部４を閉じる。
【００３７】
この状態で操作者が操作部３０（図６、図７）から透過原稿Ｆの読み取り開始をすると制御部６２０が透過原稿用光源２２を点灯させると共に、６５０光学ユニット駆動部６５０を制御して光学ユニット６が透過原稿Ｆの直下を副走査方向に平行移動させながらその画像を読み取る。所定の透過原稿読み取り範囲の読み取りが終了すると、処理を終了する。
【００３８】
読み取った画像は、入出力部６１０を通じてホストコンピュータ等の外部装置５００の画面に表示させたり、本体装置内の表示部３１等に表示させたり、あるいは直接本体装置内の記録部５０から出力させたりすることができる。
【００３９】
次に、本実施形態に係る画像読み取り記録装置において、外部装置５００を用いずに、複数コマを有する透過原稿のうち必要なコマを選択して記録部５０から出力させる際の動作について説明する。
【００４０】
本実施形態では、このような処理を行う場合、一旦フィルムをプリスキャン（低解像度での読み取り）し、スキャンしたフィルムに記録された全てのコマ画像を、各画像に対する付加情報指定欄を有する一枚のナビシート（あるいはインデックスシート）Ｎにレイアウトして記録部５０から出力する。
【００４１】
そして、操作者に付加情報指定欄を記入させることで出力させたいコマ画像の選択及び記録サイズ、枚数といった付加情報を指定させる。次いで、記入済みのナビシートが原稿自動給紙部２にセットされ、読み込み指示がなされると、原稿自動給紙部２を用いた読み込みによりナビシートに記入された事項（選択された画像と、記録時に用いる付加情報（サイズ、枚数等））を認識する。
【００４２】
そして、プリスキャン時に設置されたフィルムを本スキャン（記録部５０での出力に適した高解像度のスキャン）し、ナビシートから認識した情報に基づいて記録処理を行うことで、外部装置５００を用いることなく透過原稿に含まれる複数画像を選択的かつ柔軟に記録することを可能にしている。
【００４３】
なお、このような手順を踏む場合、透過原稿のプリスキャン→記録済みナビシートを反射原稿としてスキャン→再度同じ透過原稿を本スキャンする必要がある。ここで、記録済みナビシートを固定原稿として読み取る手順にすると、最初の透過原稿のプリスキャン後に一旦読み取り部を反射原稿用にセットし、その後にさらに透過原稿の本スキャン（高解像度）用にセットし直さなければならず、原稿マット２３の着脱等煩雑である。そのため、本実施形態では記録済みナビシートの読み込みを原稿自動給紙部２を用いて行うようにすることで、プリスキャン時に透過原稿をセットした状態のまま本スキャンを行うことを可能としている。
【００４４】
以下、この処理を図１０のフローチャートをも参照してさらに詳しく説明する。
まず、操作者は予め写真フィルムのような、複数の画像が記録された透過原稿Ｆをフィルムホルダ２９にセットし、給送圧板部４へ装着させておく。
【００４５】
ここで、フィルムホルダ２９の構成についての図４および図５を用いて簡単に説明する。図４はフィルムホルダ２９の構成を示す一実施形態の図であり、ここでは一般的な３５ｍｍ写真フィルムＦ（６コマ分）を４本、最大２４コマ分がセット可能なフィルムホルダを示している。なお、フィルムのサイズは３５ｍｍで無くても良い。
【００４６】
図４でフィルムホルダ２９にはフィルムＦ（６コマ分）を４ヶ所セットできる格子状の穴が設けられており、それぞれのフィルムＦの位置固定を行うと共に、フィルムＦの反りを抑え、平坦にするための押さえ部材２９ｂが設けられている。まず操作者はフィルムホルダ２９の押さえ部材２９ｂをヒンジ２９ａを中心として矢印Ｃ１方向へ回動させフィルム収納部２９ｃを開放させる。開放されたフィルム収納部２９ｃに、出力させたい画像を含むフィルムＦを矢印Ｂ方向へセットする。その後押さえ部材２９ｂをヒンジ２９ａを中心に矢印Ｃ２方向へ回動させ閉じる（図５）。この状態でフィルムＦの各コマ画像を読み取り可能なように、押さえ部材２９ｂにはコマの大きさに合わせた矩形状の穴２９ｄが設けられている。図５の状態でフィルムホルダを給送圧板部４に装着する。
【００４７】
この状態で、ナビシート出力が例えば操作部３０の所定キー押下もしくは、表示部３１に表示されるメニューから選択されることにより指示されると、図１０のフローチャートに示す動作が開始する。
【００４８】
まず、制御部６２０は、光学ユニット６を透過原稿読み取り開始位置（図２）に移動させる（Ｓ１０１）。そして、予め設定されたプリスキャン時のパラメータ（解像度、読み取り色深度等）を用い、プリスキャンを行う（Ｓ１０３）。プリスキャン結果から、例えばホルダの枠を識別することによってコマ画像を分離し、ナビシートにレイアウトして記録部５０から出力する（Ｓ１０５）。
【００４９】
ここで、Ｓ１０５で出力するナビシートＮの例を、図８を用いて簡単に説明する。
図８は図４及び図５を用いて説明したフィルムホルダ２９にフィルムをセットしてプリスキャンした際に出力するナビシートＮの例を示す図である。図８のようにナビシートＮは記録部５０が記録可能で、かつ原稿自動給紙部２を用いて読み込み可能なサイズで記録される。この際、プリスキャンして得られたコマ画像は、必要に応じて縮小あるいは拡大や、ネガポジ変換などの画像処理がなされる。そして、例えば６コマ×４列に配置された画像としてフィルムホルダ２９にセットされた順序で記録される。
【００５０】
記録される各コマ画像間には余白が設けられており、その余白には、本スキャン時及び記録出力（プリント）時に必要な付加情報（記録出力条件）の記入欄が記録される。本実施形態では記入欄はマークシート形式となっており、枚数（０、１、２、３枚）、記録サイズ（Ｌ、２Ｌ、ハガキ）及び記録紙の種別（普通紙、フォト紙（写真印刷用の記録紙））が付加情報として記入可能となっている。もちろん、記入欄に含まれる項目の数、種類及び各項目における選択肢の数や種類は任意に設定することが可能である。他の項目としては例えば印字のフチ有り無しや日付の有り無し等を挙げることができる。
【００５１】
操作者は各コマ画像に対応した記入欄のマークシートをマーキング（各付加情報の項目ごとに○が記入されておりこの部分を●に塗りつぶす。図８参照）することにより付加情報を記入又は指定することができる。図８では一例として、コマ画像１及び２の２つがプリスキャンされ、そのうち画像１を枚数０として出力させず、画像２をＬサイズで１枚、フォト紙で出力するという付加情報が指定された場合を示している。また、本実施形態では枚数の選択肢として０枚を含め、出力しないことを明示的に指定するようにしているが、マークがない画像は出力しないものと認識するような構成では０枚の選択肢は不要である。操作者は記録済みのナビシートを、原稿自動給紙部２の原稿トレイＴにセットし、操作部３０の所定キー押下もしくは、表示部３１に表示されるメニューから選択することで、本スキャンを指示する。
【００５２】
図１０に戻って、制御部６２０は、ナビシート出力が終了すると、本スキャンの指示待機状態となる（Ｓ１０７）。このときプラテンガラス１５上にはフィルムＦが収納された状態のフィルムホルダ２９が給送圧板部４内に装着されたままの状態である。上述のように本スキャンが例えば指示されると、制御部６２０は原稿自動給紙部２の原稿載置トレイＴに原稿がセットされているかどうかを確認し（Ｓ１０９）、原稿がなければナビシートをセットするよう表示部３１にメッセージを表示したり、或いは予め記憶された音声メッセージを再生する等して操作者に報知する（Ｓ１１１）。
【００５３】
原稿がセットされている場合、制御部６２０は光学ユニット駆動部６５０を制御し、光学ユニット６を自動給送原稿の読み取り位置（図１）に移動させる（Ｓ１１３）。そして、図１を用いて上述したように、原稿の搬送及び読み取りを行う。すなわち、原稿載置トレイＴ上にセットされたナビシートＮが原稿搬送路５（Ｕターンパス）を搬送され、読み取り位置に固定された光学ユニット６によりナビシートＮ上の画像が読み込まれる。そして、読み込んだ画像からナビシートの記入欄を認識する（Ｓ１１５）。
【００５４】
認識の結果、出力すべき画像と対応する付加情報が正しく（矛盾無く）検出できたならば、Ｓ１１７へ移行し、光学ユニット６を透過原稿読み取り位置へ移動させる。一方、認識に問題があれば、再度読み込みするよう操作者に報知し、Ｓ１０７へ戻る。
【００５５】
Ｓ１１９では、予め設定された本スキャン用の読み取りパラメータを用いて本スキャンを行う。そして、読み取られた画像データとＳ１１５で認識した付加情報に基づいて、記録部５０に出力を指示する。なお、Ｓ１１５で認識した付加情報（記録出力条件）に基づいて本スキャンを行う際の読み取りパラメータを設定するようにしてもかまわない。その場合、例えば、ナビシートＮから認識された記録サイズ（Ｌ、２Ｌ、ハガキ）に応じて本スキャンの読み取り解像度を設定してもよい。
【００５６】
このように、本実施形態によれば、ホストコンピュータ等の外部装置を用いずに、画像読み取り記録装置単体の操作により、写真フィルムのような、複数の画像が記録された透過原稿から、希望する画像を希望する条件で記録出力することが容易かつ確実に行える。また、出力する画像の選択を画面表示ではなく記録出力されるナビシートによって行うため、装置に大きな表示装置を設けなくても、複数の画像を比較しながら所望の画像を選ぶことができる。また、一般に記録出力は画面表示よりも解像度が高いため、似た画像が複数存在する場合でも、選択が容易である。
【００５７】
また、ナビシートの読み込みを原稿自動給紙部２を用いて行うことにより、透過原稿のプリスキャン後、フィルムホルダ２９及び原稿マット２３を操作する必要が無く、そのままの状態でナビシートＮの読み込みから本スキャンまでを実行することが可能であり、操作性を向上させることができる。
なお、上述した記録部５０としては、電子写真方式やインクジェット式の画像形成手段等が適用できるが、これらに限定されるものではなくその他適宜な画像形成手段を適用することができる。
さらに、上記実施形態では、画像読み取り装置と記録装置が一体として構成された画像読み取り記録装置の例を説明したが、画像読み取り装置であるイメージスキャナと記録装置であるプリンタがそれぞれ別体に構成されているものにも本発明を適用可能である。
【図面の簡単な説明】
【００５８】
【図１】本発明の実施形態に係る画像読み取り記録装置の画像読み取り部の構成例及び原稿自動給紙部を用いた反射原稿の読み取り時の状態を示す断面図である。
【図２】本発明の実施形態に係る画像読み取り記録装置の画像読み取り部の構成例及び原稿自動給紙部を用いずに反射原稿の読み取る際の状態を示す断面図である。
【図３】本発明の実施形態に係る画像読み取り記録装置の画像読み取り部の構成例及び透過原稿の読み取り時の状態を示す断面図である。
【図４】本発明の実施形態に係る画像読み取り記録装置で使用可能なフィルムホルダの構成例を示す斜視図である。
【図５】図４のフィルムホルダにフィルムを装着した状態を示す斜視図である。
【図６】本発明の実施形態に係る画像読み取り記録装置の外観例を示す斜視図である。
【図７】図６において、給送圧板部を全開にした状態を示す図である。
【図８】本発明の実施形態に係る画像読み取り記録装置において出力するナビシートの例を示す図である。
【図９】本発明の実施形態に係る画像読み取り記録装置の機能構成例を示すブロック図である。
【図１０】本発明の実施形態に係る画像読み取り記録装置の動作を説明するフローチャートである。
【符号の説明】
【００５９】
１・・・原稿読み取り部
２.・・原稿自動給紙部
３・・・原稿排出トレイ
４・・・給送圧板部
５・・・原稿搬送路（Ｕターンパス）
６・・・光学ユニット
７・・・ピックアップローラ
８・・・分離ローラ
９・・・分離パッド
１０・・・第１搬送ローラ
１１・・・第２搬送ローラ
１２・・・読み取り白地板
１３・・・第３搬送ローラ
１４・・・固定読み取り部
１５・・・プラテンガラス
１５ａ・・・盤面
１６・・・透明すくいシート
１７・・・ＬＥＤアレイ（反射原稿用光源）
１８・・・セルフォックレンズ
１９・・・固定読み取りユニット
２０・・・原稿ガイド
２１・・・白基準板
２２・・・透過原稿用光源
２３・・・原稿マット
２４・・・光学系
２５・・・イメージセンサ
２６・・・ガイドシャフト
２７・・・ミラー
２８・・・集光レンズ
２９・・・フィルムホルダ
２９ａ・・・ヒンジ部
２９ｂ・・・押さえ部材
２９ｃ・・・フィルム収納部
２９ｄ・・・矩形状の穴部
３０・・・操作部
３１・・・ヒンジ（給送圧板部）
【図１】
2005204162.tif 000003
【図２】
2005204162.tif 000004
【図３】
2005204162.tif 000005
【図４】
2005204162.tif 000006
【図５】
2005204162.tif 000007
【図６】
2005204162.tif 000008
【図７】
2005204162.tif 000009
【図８】
2005204162.tif 000010
【図９】
2005204162.tif 000011
【図１０】
2005204162.tif 000012